(57)【要約】【課題】この考案の目的は、メガネフレームにおける装飾体を提供することにある。【解決手段】メガネフレームのテンプルに設ける装飾体であって、この装飾体２０は透明を有するとともに、テンプル９と接触する面に溝２１を穿設し、外側から見たときに溝が立体的に見えるようにした。【選択図】　　　　図２
0003098908.tif 000002
【実用新案登録請求の範囲】
【請求項１】
メガネフレームのテンプルに設ける装飾体であって、該装飾体は透明を有するとともに、テンプルと接触する面に溝を穿設したことを特徴とする装飾体。
【請求項２】
前記溝はＶ字状をなしている請求項１記載の装飾体。
【請求項３】
前記溝はＵ字状をなしている請求項１記載の装飾体。
【請求項４】
前記装飾体の表面に模様が施されている請求項１乃至３記載の装飾体。
【請求項５】
前記溝の内面に色彩が施されている請求項１乃至３記載の装飾体。
【考案の詳細な説明】
【０００１】
【考案の属する技術分野】
この考案は装飾体に関し、特に、メガネのテンプルに設けられて３次元的に浮かび上がって見える模様を施した装飾体に関する。
【０００２】
【従来技術】
メガネは、本来近視や遠視等の視力を矯正したり、紫外線等から目を保護するものであるが、同時にファッション性の高いものであり、アクセサリーとしての役割も重要である。
すなわち、実用性と共に新しいデザインや高級感を備えることが要求されるので、メガネフレーム全体の素材、形状、色彩等を工夫するとともに、各部材には様々な装飾が施されている。
【０００３】
メガネフレームの部材の中でもテンプルは、装飾を施す対象として重要な部分であり、例えば、その素材として貴金属を用いたり、或いはこれに立体的模様を施すことが広く行われている。
また、デザインの幅を広げるために、様々な装飾体をテンプルに設けることも行われている。
【０００４】
テンプル及び装飾体の素材としては、主に金属又は樹脂が用いられているが、樹脂を用いた場合には、金属を用いた場合ほど高級感が得難く、デザインの幅が狭いという欠点がある。
例えば、樹脂の色を鮮やかな色彩とした場合には、新鮮な印象は得られるものの、深みのある高級感は得られず、逆に、穏やかな色彩とした場合には、平凡な感じとなって、貴金属や鼈甲を用いた場合の高級感は得られない。
【０００５】
また、樹脂に立体的な模様を施した場合も、特に新鮮な印象や高級感は得られず、さらに、宝石などでアクセントを施しても、調和のとれたデザインとすることは困難である。
【０００６】
この考案は、樹脂を素材とするとともに、テンプルに取り付けられる装飾体であって、しかも新鮮な印象や高級感を備え、メガネフレームのテンプルにおけるデザインの幅を広げることを目的とする。
【０００７】
【課題を解決するための手段】
上記の目的を達成するために、この考案は、メガネフレームのテンプルに設ける装飾体であって、該装飾体は透明を有するとともに、テンプルと接触する面に溝を穿設した手段を採用したものであり、溝はＶ字状、Ｕ字状等をなしている。また、前記装飾体の表面に模様を施したり、前記溝の内面に色彩を施したりする手段を採用したものである。
【０００８】
【作用】
この考案の装飾体は、テンプルと接触する面（裏面）に施した溝が表面から見ると３次元的に浮き上がって見えるので、新鮮な印象と高級感を得ることができる。
併せて、装飾体の表面に立体的模様や色彩模様を施すことによって、様々なバリエーションが可能であり、デザインの選択肢を大きく広げることができる。
また、溝の内面に色彩を施すことにより、一層高級感を高め、或いはアクセントのある装飾体とすることができる。
【０００９】
【考案の実施の形態】
以下、図面に示すこの考案の実施の形態について説明する。
図１には、装飾体２０が取り付けられたメガネフレーム１が示されている。
メガネフレーム１は、レンズ２、２を固定するための枠部３、３と、両枠部３、３間を連結するブリッジ部４と、使用者の鼻に当接するパッド５、５と、枠部３、３に取り付けられた鎧６、６と、この鎧６、６に蝶番７、７を介して折り曲げ可能に連結されるとともに、使用者の耳に係止するためのテンプル９、９とから構成されている。
そして、前記テンプル９、９にはその鎧６、６側にこの考案による装飾体２０、２０が取り付けられている。
【００１０】
図２には装飾体２０を取り付ける前の、テンプル９および装飾体２０が示されている。
テンプル９は、図２（ａ）に示されるように、装飾体２０の形状に合致する取付部１０が形成され、この取付部１０に装飾体２０を接着などによって取り付けることができるようになっている。
【００１１】
装飾体２０は、図２（ａ）、（ｂ）に示されるように、透明を有する素材を用いてテンプル９の取付部１０に合致する形状に加工され、図２（ｃ）に示されるように、テンプル９の取付部１０の面に接触する面（裏面）には、溝２１によって彫り込まれた模様が描かれている。
【００１２】
この溝２１の形状は、Ｖ字状、Ｕ字状等の種々な形状を採用することができる。
【００１３】
そして、装飾体２０をテンプル９の取付部１０内において接着等の手段で取り付けた場合に表側から見ると、溝２１によって彫り込まれた模様が３次元的に浮き上がって見える。これにより、テンプルの装飾としての機能が発揮されて新鮮な感じのデザインを得ることができる。
【００１４】
上記のようにテンプル９の取付部１０に位置して、テンプル９側に溝２１が設けられた装飾体２０の素材としては、透明を有する樹脂又はガラス等を用いることができる。
また、薄い色であれば色付きであってもよく、また半透明であってもよい。
【００１５】
そして、穿設する溝２１は、図３に例示されるような断面形状を備えた溝であれば良く、図３（ａ）に示されるような四角形断面、図３（ｂ）に示されるようなＶ字形断面、図３（ｃ）に示されるようなＵ字形断面、図３（ｄ）に示されるようなＷ字形断面などであり、これらを単独で、あるいは組み合わせて模様を彫り込むことができる。
【００１６】
装飾体２０の形状は、図２に示されるように、テンプル９に沿った細長い形状が好ましいが、その断面は図２（ａ）、（ｂ）に示されるような蒲鉾型のほか、三角形や四角形等の多角形、円形、楕円形などとすることもできる。
いずれの場合にも、溝２１によって彫り込まれた模様は３次元的に浮き上がって見えるが、表面における光の屈折が断面形状によって変化するので、それぞれ違った印象を与えることになる。
【００１７】
例えば、蒲鉾型等のように装飾体の表面に丸みがある場合には、彫り込まれた模様が、拡大されて見えることになる。
【００１８】
装飾体２０は、その表面に模様を施して、裏面に描かれて３次元的に浮き上がって見える模様と表面の模様とを組み合わせることにより、一層デザインの幅を広げることができる。表面に施す模様は、裏面と同様に溝を穿設して描いた立体的模様や、色彩を施した模様であってもよい。
【００１９】
装飾体２０のテンプル９と接する面（裏面）に穿設された溝２１は、その内面に色彩を施すことにより、一層高級感を高め、あるいはアクセントのある装飾体とすることができる。
色彩を施す方法としては、顔料を用いる方法と金属をメッキする方法がある。顔料を用いる方法は、一般的な塗料を塗布する方法、または顔料によって着色された樹脂を塗布する方法などを用いることができる。
【００２０】
金属をメッキする方法としては、溝の内面に導電性樹脂を塗布した後に、無電解メッキを施す方法が、簡単であり好ましい。
【００２１】
特に、金、銀、パラジウムなどの貴金属をメッキすることにより、３次元的に浮き上がって見える模様が、貴金属の光沢を備えることになる。
しかも、溝の内面に施されたメッキは、目に見える面が透明な樹脂で覆われることになるので、外気との接触による酸化などによって光沢を失うこともなく、いつまでも貴金属の光沢を保持することができる。
【００２２】
【考案の効果】
以上のように、この考案の装飾体は、裏面に施した溝が３次元的に浮き上がって見えるので、従来樹脂を素材とした場合には得られなかった、新鮮な印象と高級感を得ることができる。
また、様々なバリエーションが可能であり、メガネフレームのテンプルについて、幅広いデザインを施すことができるという効果を有している。
【図面の簡単な説明】
【図１】この考案による装飾体が設けられたテンプルを使用したメガネを示す概略斜視図である。
【図２】図１に示すメガネに使用されているテンプルを示し、（ａ）はテンプルの鎧側を示す概略図である。（ｂ）は装飾体を示す概略図である。（ｃ）は装飾体のテンプルに取り付けられる側の面を示す概略図である。
【図３】装飾体に設けた溝の種類を示し、（ａ）は四角形断面の概略図である。（ｂ）はＶ字形断面の概略図である。（ｃ）はＵ字形断面の概略図である。（ｄ）はＷ字形断面の概略図である。
【符号の説明】
１……メガネフレーム
２……レンズ
３……枠部
４……ブリッジ部
５……パッド
６……鎧
７……蝶番
９……テンプル
１０……取付部
２０……装飾体
２１……溝
【図１】
0003098908.tif 000003
【図２】
0003098908.tif 000004
【図３】
0003098908.tif 000005